(57)【要約】【課題】無線基地局装置において、通信帯域を効率的に利用することを課題とする。【解決手段】無線制御部と、無線制御部にカスケード接続される複数の無線部とを有する無線基地局装置であって、無線制御部は、無線部から送信される複数のデータを多重する多重部と、多重する各データの無線データにおける位置情報と、複数の無線部のうち各データを送信する無線部の識別子とを対応付けて、マッピング情報に格納する生成部と、無線データと、マッピング情報とを複数の無線部のうち隣接する無線部に送信する送信部とを備え、複数の無線部の各々は、無線データと、マッピング情報とを受信する受信部と、マッピング情報に基づいて、無線データから自無線部から送信するデータを抽出する抽出部と、抽出部が抽出したデータを無線送信する無線送信部とを備える無線基地局装置である。【選択図】図５
2011114689.tif 000002
【特許請求の範囲】
【請求項１】
無線制御部と、前記無線制御部にカスケード接続される複数の無線部とを有する無線基地局装置であって、
前記無線制御部は、
前記無線部から送信される複数のデータを多重する多重部と、
多重する各データの前記無線データにおける位置情報と、前記複数の無線部のうち前記各データを送信する無線部の識別子とを対応付けて、マッピング情報に格納する生成部と、
前記無線データと、前記マッピング情報とを前記複数の無線部のうち隣接する無線部に送信する送信部と
を備え、
前記複数の無線部の各々は、
前記無線データと、前記マッピング情報とを受信する受信部と、
前記マッピング情報に基づいて、前記無線データから自無線部から送信するデータを抽出する抽出部と、
前記抽出部が抽出したデータを無線送信する無線送信部と
を備える
無線基地局装置。
【請求項２】
前記複数の無線部から送信する複数のデータは、前記複数の無線部すべてから送信するデータを含み、
前記無線制御部の前記生成部は、前記複数の無線部すべてから送信するデータの前記無線データにおける位置情報と、前記複数の無線部すべてを示す識別子とを対応付けて、マッピング情報に格納し、
前記複数の無線部の各々の前記抽出部は、前記マッピング情報に基づいて、前記無線データから前記複数の無線部のすべてから送信するデータを抽出する
無線基地局装置。
【請求項３】
無線制御部に複数の無線部がカスケード接続される無線基地局装置であって、
前記複数の無線部の各々は、
前記複数の無線部のうち隣接する無線部から、前記複数の無線部のうち他の無線部が受信した各データが多重された無線データと、多重された前記各データの前記無線データにおける位置情報および前記各データを受信した前記他の無線部の識別子を対応付けて格納されるマッピング情報とを受信する受信部と、
無線送信されたデータを受信する無線受信部と、
前記無線データの空き通信領域に、前記無線受信部が受信したデータを割り当てて配置し、自無線部の識別子と前記受信したデータを割り当てた空き通信領域の位置情報とを対応付けて前記マッピング情報に格納し、前記無線データを更新する更新部と、
前記更新部が更新した前記無線データと、前記マッピング情報とを前記複数の無線部のうち隣接する他の無線部又は隣接する前記無線制御部に送信する送信部と
を備え、
前記無線制御部は、
前記複数の無線部のうち隣接する無線部から、前記無線データと、前記マッピング情報とを受信する受信部と、
前記マッピング情報に基づいて、前記無線データを、前記無線部毎のデータに分離する分離部と
を備える
無線基地局装置。
【発明の詳細な説明】
【技術分野】
【０００１】
本発明は、無線制御部と複数の無線部を有する無線基地局装置に関する。
【背景技術】
【０００２】
建物の間など電波が届きにくい場所や屋内などに小規模なエリアを多数配置する際に、エリア毎に無線基地局装置を設置するのでは膨大な数の装置を用いることとなり、設備効率が悪くなる。そのため、通常、無線基地局装置は、無線基地局装置本体を１ヶ所に設置し、そこから出先の各エリアまでアンプ（ＡＭＰ）及びアンテナを引っ張りだして設置する方法が取られる。このアンプ及びアンテナは、張り出し装置等と呼称される。
【０００３】
Ｗ−ＣＤＭＡ(Wideband Code Division Multiple Access)サービスやＬＴＥ（Long Term Evolution）サービスでは、無線基地局装置本体と出先のアンプとが光ケーブル（光フ
ァイバ）で接続される。無線基地局装置本体及び出先のアンプは、ＣＰＲＩ（Common Public Radio Interface）と呼ばれる標準的なインタフェース（Ｉ／Ｆ）を使用してデータ
をやり取りする。ＣＰＲＩでは、無線基地局装置本体は無線制御部（Radio Equipment Control（ＲＥＣ））、アンプは無線部（Radio Equipment（ＲＥ））と呼称される。
【０００４】
ＲＥＣと複数のＲＥとの接続方法として、ＲＥＣを中心としたタコ足型に各アンプに接続する方法（Star型）、ＲＥＣをスタートとして各ＲＥを数珠つなぎに接続（カスケード接続）する方法（Chain型）など様々な方法が存在する。各ＲＥの設置個所が互いに離れ
ている場合には一般的にStar型が適している。屋内等で各ＲＥの設置個所が互いに近い場合はChain型が適している。
【０００５】
図１は、ＲＥＣと複数のＲＥとをStar型で接続した例を示す図である。図１のようなStar型では、ＲＥＣ２１は、ＲＥ３１、ＲＥ３２、及び、ＲＥ３３と、それぞれ、光ファイバを介して接続される。図１の例では、ＲＥＣに接続されるＲＥが３台であるが、ＲＥＣに接続されるＲＥの数は３台に限定されるものではない。
【０００６】
図２は、ＲＥＣと複数のＲＥとをChain型で接続（カスケード接続）した例を示す図で
ある。図２のようなChain型では、ＲＥＣ２２は、光ファイバを介してＲＥ３４と接続さ
れ、さらにＲＥ３４に光ファイバを介してＲＥ３５と接続され、さらにＲＥ３５に光ファイバを介してＲＥ３６と接続される。つまり、ＲＥＣ２２は、ＲＥ３４を経由してＲＥ３５と接続される。また、ＲＥＣ２２は、ＲＥ３４及びＲＥ３５を経由してＲＥ３６と接続される。図２の例では、ＲＥＣに接続されるＲＥが３台であるが、ＲＥＣに接続されるＲＥの数は、３台に限定されるものではない。ＲＥＣ２２から、カスケード接続の最後段のＲＥ３６への方向は下り方向と呼ばれる。また、逆に、ＲＥ３６からＲＥＣ２２への方向は上り方向と呼ばれる。
【先行技術文献】
【特許文献】
【０００７】
【特許文献１】特開２００２−１８６０１７号公報
【特許文献２】特開２００８−１４１３２０号公報
【発明の概要】
【発明が解決しようとする課題】
【０００８】
図３は、ＲＥＣとＲＥをChain型で接続した場合のＣＰＲＩリンクの例を示す図である
。Chain型でＲＥＣと複数のＲＥとを接続した場合、１本の物理回線(例えば、光ファイバ
)中に、ＲＥ毎にＲＥＣと接続する複数の通信チャネルが含まれる。なお、この通信チャ
ネルをＣＰＲIリンクとする。図３の例では、ＲＥＣ２２とＲＥ３４との間はＣＰＲＩリ
ンク＃１で、ＲＥＣ２２とＲＥ３５との間はＣＰＲＩリンク＃２で、ＲＥＣ２２とＲＥ３６との間はＣＰＲＩリンク＃３で接続される。
【０００９】
各通信チャネルは、無線チャネル幅に応じた周波数帯域幅を確保する。物理回線として見ると、１つの通信チャネルの帯域幅と接続しているＲＥの数との積の通信帯域が確保される。しかしながら、小規模なエリアの場合、収容ユーザ数が少ないことが多い。従って、実際には、無線チャネル幅のすべてが使用されることはまれであり、物理回線の通信帯域の利用効率はよくない。
【００１０】
本件開示の装置は、無線基地局装置の無線制御部と無線部との間の通信帯域を効率的に利用することを課題とする。
【課題を解決するための手段】
【００１１】
開示の一態様は、無線制御部と、無線制御部にカスケード接続される複数の無線部とを有する無線基地局装置であって、無線制御部は、無線部から送信される複数のデータを多重する多重部と、多重する各データの無線データにおける位置情報と、複数の無線部のうち各データを送信する無線部の識別子とを対応付けて、マッピング情報に格納する生成部と、無線データと、マッピング情報とを複数の無線部のうち隣接する無線部に送信する送信部とを備え、複数の無線部の各々は、無線データと、マッピング情報とを受信する受信部と、マッピング情報に基づいて、無線データから自無線部から送信するデータを抽出する抽出部と、抽出部が抽出したデータを無線送信する無線送信部とを備える無線基地局装置である。
【発明の効果】
【００１２】
開示の一態様によれば、無線基地局装置の無線制御部と無線部との間の通信帯域を効率的に利用することができる。
【図面の簡単な説明】
【００１３】
【図１】図１は、ＲＥＣとＲＥとをStar型で接続した例を示す図である。
【図２】図２は、ＲＥＣとＲＥとをChain型で接続した例を示す図である。
【図３】図３は、ＲＥＣとＲＥをChain型で接続した場合のＣＰＲＩリンクの例を示す図である。
【図４】図４は、システム構成例を示す図である。
【図５】図５は、ＲＥＣの構成例を示す図である。
【図６】図６は、ＲＥの構成例を示す図である。
【図７】図７は、ＣＰＲＩのフレーム構成例を示す図である。
【図８】図８は、基本フレームの構成例を示す図である。
【図９】図９は、基本フレームの構造の例を示す図である。
【図１０】図１０は、サブフレームの詳細を示す図である。
【図１１】図１１は、コントロールワードのマッピングの例を示す図である。
【図１２】図１２は、下り方向のデータを扱う際のＲＥＣのスケジューラ部の動作フロー（１）を示す図である。
【図１３】図１３は、下り方向のデータを扱う際のＲＥＣのスケジューラ部の動作フロー（２）を示す図である。
【図１４】図１４は、下り方向のデータを扱う際のＲＥの動作フローを示す図である。
【図１５】図１５は、下り方向のデータの流れの例（１）を示す図である。
【図１６】図１６は、下り方向のデータの流れの例（２）を示す図である。
【図１７】図１７は、上り方向のデータを扱う際のＲＥの動作フロー（１）を示す図である。
【図１８】図１８は、上り方向のデータを扱う際のＲＥの動作フロー（２）を示す図である。
【図１９】図１９は、上り方向のデータを扱う際のＲＥＣのスケジューラ部の動作フローを示す図である。
【図２０】図２０は、上り方向のデータの流れの例を示す図である。
【発明を実施するための形態】
【００１４】
以下、図面を参照して実施形態について説明する。実施形態の構成は例示であり、開示の実施形態の構成に限定されない。
【００１５】
〔実施形態〕
（構成例）
図４は、本実施形態のシステム構成例を示す図である。本実施形態のシステムは、ＲＮＣ（Radio Network Controller、無線ネットワーク制御装置）１００、ＲＥＣ２００、ＲＥ３００ａ、ＲＥ３００ｂ、及び、ＲＥ３００ｃを含む。ＲＥ３００ａ、ＲＥ３００ｂ、及び、ＲＥ３００ｃには、それぞれ、アンテナ３８０ａ、アンテナ３８０ｂ、及び、アンテナ３８０ｃが接続される。ＲＥ３００ａ、ＲＥ３００ｂ、及び、ＲＥ３００ｃ（以下、ＲＥと省略することもある）は、それぞれ同様の構成を有する。ＲＥＣ２００とＲＥ３００ａとの間、及び、ＲＥとこれに隣接するＲＥとの間は、光ファイバで接続される。光ケーブルの代わりに、同軸ケーブル等の他の伝送媒体が使用されてもよい。
【００１６】
本実施形態のシステムは、ＲＥＣが１つの通信チャネル内に複数のＲＥ向けの無線データを多重し、各ＲＥが自装置（自ＲＥ）向けの無線データを分離して各アンテナから送信するシステムである。また、本実施形態のシステムは、各ＲＥが自装置（自ＲＥ）で受信した無線データを１つの通信チャネルに多重し、ＲＥＣが１つの通信チャネルに含まれる各ＲＥからの無線データを分離するシステムである。
【００１７】
図４の例では、ＲＥが３台であるシステムであるが、本実施形態の構成は、ＲＥが３台に限定されるものではない。
【００１８】
ＲＮＣ１００は、ＲＥＣ２００と接続される。ＲＮＣ１００は、ＲＥＣ２００を制御するＲＥＣ２００の上位装置である。
【００１９】
ＲＥＣ２００は、ＲＮＣ１００及び各ＲＥと接続される。ＲＥＣ２００は、ＲＮＣ１００と通信するデータの変調及び復調を行う。ＲＥＣ２００は、各ＲＥと通信するデータの変調及び復調を行う。
【００２０】
各ＲＥは、直接的または間接的にＲＥＣ２００と接続される。各ＲＥは、ＲＥＣ２００から受信したデータを増幅して、各ＲＥに接続される各アンテナから移動局に対して送信する。各ＲＥは、ＲＥＣ２００から受信したデータを、下り方向に接続されているＲＥに対して送信する。
【００２１】
〈ＲＥＣの構成例〉
図５は、ＲＥＣの構成例を示す図である。ＲＥＣ２００は、多重部２３２、符号化部２３４、変調部２３６、コントロールワード生成部２３８、送信部２４０、分離部２５２、復号化部２５４、復調部２５６、コントロールワード分離部２５８、受信部２６０、及び、スケジューラ部２７０を有する。また、ＲＥＣ２００は、第１下りプロトコル処理部２１０ａ、第２下りプロトコル処理部２１０ｂ、第３下りプロトコル処理部２１０ｃ、第１
上りプロトコル処理部２２０ａ、第２上りプロトコル処理部２２０ａ、及び、第３上りプロトコル処理部２２０ａを有する。図５では、光ファイバとの物理インタフェースは省略されている。図５に示したＲＥＣ２００の各部は、例えば、プロセッサがメモリ上に展開されたプログラムを実行することで動作する。ただし、図５に示したＲＥＣ２００の各部のいずれかがハードウェア回路を含んでもよい。ＲＥＣ２００は、例えば、プロセッサ、主記憶装置、及び、二次記憶装置や、通信インタフェース装置のような周辺装置とのインタフェース装置を含む。主記憶装置及び二次記憶装置は、コンピュータ読み取り可能な記録媒体である。
【００２２】
プロセッサは、例えば、ＣＰＵ（Central Processing Unit）やＤＳＰ（Data Signal Processor）である。主記憶装置は、例えば、ＲＡＭ（Random Access Memory）やＲＯＭ（Read Only Memory）を含む。二次記憶装置は、例えば、ＥＰＲＯＭ（Erasable Programmable ROM）、ハードディスクドライブ（ＨＤＤ、Hard Disk Drive）である。また、二次記憶装置は、リムーバブルメディア、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。
【００２３】
第１下りプロトコル処理部２１０ａは、ＲＥ３００ａ向けのダウンリンクユーザデータ（Downlink(DL) User Data）から、通信規約（プロトコル）に基づいて、所定の情報の単位のデータを生成して、多重部２３２に送信する。同様に、第２下りプロトコル処理部２１０ｂ及び第３下りプロトコル処理部２１０ｃは、それぞれ、ＲＥ３００ｂ向け及びＲＥ３００ｃ向けのダウンリンクユーザデータから、通信規約に基づいて、所定の情報の単位のデータを作成して、多重部２３２に送信する。ＲＥＣ２００は、ダウンリンクユーザデータを、上位装置（ＲＮＣ１００など）から受信する。ＲＥ２００は、すべてのＲＥ向け若しくは、所定の複数のＲＥ向けのダウンリンクユーザデータから、通信規約に基づいて所定の情報の単位のデータを作成する下りプロトコル処理部を有してもよい。
【００２４】
多重（MUX）部２３２は、第１下りプロトコル処理部２１０ａ等から、ＲＥ３００ａ等
向けのデータを受信する。多重部２３２は、送信バッファを含む。多重部２３２は、受信したデータを送信バッファに格納する。多重部２３２は、受信したデータを符号化部２３４に送信する。多重部２３２は、スケジューラ部２７０に受信したデータがどのＲＥ向けのデータであるかを通知する。
【００２５】
符号化部２３４は、スケジューラ部２７０から受信したマッピング情報に基づいて、多重部２３２から受信したデータを、所定の符号化方式で符号化を行う。
【００２６】
変調部２３６は、符号化部２３４で符号化されたデータを、所定の変調方式で変調し、ＩＱ（In-phase Quadrature）データブロックを生成する。ＩＱデータブロックは、各Ｒ
Ｅがアンテナから送信する複数の信号のＩ（In-phase）成分及びＱ（Quadrature）成分の大きさ、送信順等の情報を含む。
【００２７】
コントロールワード生成部２３８は、コントロールワード（Control Word(CW)）を生成する。コントロールワードは、無線同期用の同期情報、各ＲＥを制御する制御データ、スケジューラ部２７０が生成したマッピング情報等を含む。
【００２８】
送信部２４０は、変調部２３６が生成したＩＱデータブロックと、コントロールワード生成部２３８が生成したコントロールワードとを、隣接する下り方向のＲＥ３００ａに送信する。送信部２４０は、光ファイバとの物理インタフェース、光信号の発光素子、光信号の発光素子の駆動回路等を含む。
【００２９】
受信部２６０は、隣接する下り方向のＲＥ３００ａからＩＱデータブロックとコントロールワードとを受信する。受信部２６０は、コントロールワード分離部２５８にコントロールワードを送信する。受信部２６０は、復調部２５６に、ＩＱデータブロックを送信する。受信部２６０は、光ファイバとの物理インタフェース、光信号の受光素子、光信号の受光素子の信号処理回路等を含む。
【００３０】
コントロールワード分離部２５８は、受信したコントロールワードから、マッピング情報を抽出する。コントロールワード分離部２５８は、抽出したマッピング情報を、スケジューラ部２７０に送信する。コントロールワード分離部２５８は、受信したコントロールワードから、同期情報、制御データを抽出し得る。
【００３１】
復調部２５６は、受信したＩＱデータブロックを送信側の変調方式に対応する復調方式で復調する。
【００３２】
復号化部２５４は、復調部２５６で復調されたデータを送信側の符号化方式に対応する復号化方式で、復号化を行う。復号化部２５４は、復号化されたデータを、スケジューラ部２７０からの指示に基づき、送信元のＲＥ毎に分離する。
【００３３】
分離（DEMUX）部２５２は、復号化部２５４で復号化されたデータを、送信元のＲＥに
応じて、第１上りプロトコル処理部２２０ａ等に送信する。例えば、分離部２５２は、ＲＥ３００ａからのデータを、第１上りプロトコル処理部２２０ａに送信する。
【００３４】
スケジューラ部２７０は、多重部２３２から、多重部２３２が受信したデータがどのＲＥ向けのデータであるかの通知を受信する。スケジューラ部２７０は、スケジューリング情報を生成する。スケジューリング情報は、多重部２３２が受信したデータが、無線データ（ＩＱデータブロック）上のどの領域に配置されるかを示す情報である。また、スケジューラ部２７０は、多重部２３２から受信した通知及び生成したスケジューリング情報に基づいて、マッピング情報を生成する。マッピング情報は、各ＲＥに向けて送信するＩＱデータブロック内でどの領域がどのＲＥ向けのデータであるかを示す情報である。スケジューラ部２７０は、生成したマッピング情報を符号化部２３４及びコントロールワード生成部２３８に送信する。
【００３５】
また、スケジューラ部２７０は、コントロールワード分離部２５８からマッピング情報を受信する。スケジューラ部２７０は、マッピング情報に基づいて、復号化部２５４にデータをＲＥ毎に分離することを指示する。
【００３６】
第１上りプロトコル処理部２２０ａは、ＲＥ３００ａからのデータを、分離部２５２から受信し、通信規約に基づいて、ＲＥ３００ａのアップリンクユーザデータ（Uplink(UL)
User Data）を生成する。同様に、第２上りプロトコル処理部２２０ｂ及び第３上りプロトコル処理部２２０ｃは、それぞれ、ＲＥ３００ｂ及びＲＥ３００ｃからのデータを、分離部２５２から受信し、通信規約に基づいて、アップリンクユーザデータを生成する。生成されたアップリンクユーザデータは、それぞれ、上位装置（ＲＮＣ１００など）に送信される。
【００３７】
〈ＲＥの構成例〉
図６は、ＲＥの構成例を示す図である。ＲＥ３００ａは、上り受信部３１０、コントロールワード取得部３１２、分離部３１４、下り送信部３２０、増幅部３３０、下り受信部３４０、コントロールワード更新部３４２、多重部３４４、上り送信部３５０を有する。ＲＥ３００ｂ及びＲＥ３００ｃは、ＲＥ３００ａと同様の構成を有する。図６では、物理インタフェースは省略されている。図６に示したＲＥの各部は、例えば、プロセッサがメ
モリ上に展開されたプログラムを実行することで動作する。ただし、図６に示したＲＥの各部のいずれかがハードウェア回路を含んでもよい。ＲＥは、例えば、プロセッサ、主記憶装置、及び、二次記憶装置や、通信インタフェース装置のような周辺装置とのインタフェース装置を含む。主記憶装置及び二次記憶装置は、コンピュータ読み取り可能な記録媒体である。
【００３８】
上り受信部３１０は、ＲＥＣ２００（又は隣接する上り方向のＲＥ）から、ＩＱデータブロックとコントロールワードとを受信する。上り受信部３１０は、コントロールワード取得部３１２にコントロールワードを送信する。上り受信部３１０は、分離部３１４に、ＩＱデータブロックを送信する。上り受信部３１０は、受信したＩＱデータブロックとコントロールワードとを、下り送信部３２０に送信する。
【００３９】
コントロールワード取得部３１２は、受信したコントロールワードから、マッピング情報を抽出する。マッピング情報取得部３１２は、抽出したマッピング情報を分離部３１４に送信する。コントロールワード取得部３１２は、コントロールワードから同期情報、制御データ等を抽出し得る。
【００４０】
分離部３１４は、上り受信部３１０からＩＱデータブロックを受信する。分離部３１４は、コントロールワード取得部３１２からマッピング情報を受信する。分離部３１４は、マッピング情報に基づいて、自装置（ＲＥ３００ａ）向けのデータを、受信したＩＱデータブロックから分離して、抽出する。分離部３１４は、抽出したＩＱデータブロックを増幅部３３０に送信する。
【００４１】
下り送信部３２０は、上り受信部３１０から受信したＩＱデータブロックとコントロールワードとを、下り方向の隣接するＲＥに対して、送信する。
【００４２】
増幅部３３０は、分離部３１４が抽出したＩＱデータブロックに従って、信号を所定の送信電力に増幅し、アンテナ３８０ａから出力する。
【００４３】
また、増幅部３３０は、アンテナ３８０ａが受信した信号を増幅し、コントロールワード更新部３４２及び多重部３４４に送信する。
【００４４】
下り受信部３４０は、下り方向の隣接するＲＥからＩＱデータブロックとコントロールワードとを受信する。下り受信部２６０は、コントロールワード更新部３４２に、コントロールワードを送信する。下り受信部２６０は、多重部３４４に、受信したＩＱデータブロックを送信する。
【００４５】
コントロールワード更新部３４２は、下り受信部３４０から受信したコントロールワードからマッピング情報を抽出する。コントロールワード更新部３４２は、増幅部３３０から受信したＩＱデータを、マッピング情報に基づいて、ＩＱデータブロックの空き通信領域に割り当てる。コントロールワード更新部３４２は、マッピング情報を更新する。コントロールワード更新部３４２は、更新したマッピング情報を、多重部２４４に送信する。コントロールワード更新部３４２は、更新したマッピング情報を含むコントロールワードを生成し、上り送信部３５０に送信する。
【００４６】
多重部３４４は、受信したマッピング情報に基づいて、増幅部３３０から受信したＩＱデータを、下り受信部３４０から受信したＩＱデータブロックに配置する。多重部３４４は、新たなＩＱデータブロックを上り送信部３５０に送信する。
【００４７】
上り送信部３５０は、マッピング情報更新部３４２から受信したコントロールワードと
多重部３４４から受信したＩＱデータブロックとをＲＥＣ２００又は上り方向の隣接するＲＥに送信する。
【００４８】
（ＣＰＲＩのフレーム）
図７は、ＣＰＲＩのフレーム構成例を示す図である。ＣＰＲＩフレームは、基本フレーム（Basic Frame）、サブフレーム（Hyperframe）、無線フレーム（Node-B Frame）の階
層構造を有する。ＣＰＲＩフレームは、ＲＥＣとＲＥとの間で送受信される。
【００４９】
１つの無線フレーム（Node-B Frame）は、１０ｍｓ（ミリ秒）の長さを有する。無線フレームは、１５０個のサブフレーム（Hyperframe）を有する。サブフレームには、インデックスとして、Ｚ＝０，・・・，１４９の値が付与される。サブフレームは、２５６個の基本フレーム（Basic Frame）を有する。基本フレームには、インデックスとして、Ｘ＝
０，・・・，２５５の値が付与される。
【００５０】
図８は、基本フレームの構成例を示す図である。基本フレームは、１６バイトを１単位として４単位を有する。基本フレームの１単位には、インデックスとして、Ｙ＝０，１，２，３の値が付与される。基本フレームの１単位の先頭の１バイトは、コントロールワード（Control Word（ＣＷ））として定義される。基本フレームの１単位の残りの１５バイトは、ＩＱ（In-phase Quadrature）データを格納する。
【００５１】
図９は、基本フレームの構造の例を示す図である。基本フレームの１単位は、１６バイトであり、図９の例では、基本フレームは、４単位を有する。また、基本フレームは、１６のワードを有し、各ワードには、インデックスとして、Ｗ＝０，・・・，１５の値が付与される。図９の例では、１ワードの長さは４バイトである。また、ワードの各ビットには、インデックスとして、Ｂ＝０，・・・，３２の値が付与される。Ｗ＝０のワードは、コントロールワードであり、Ｗ＝１〜１５のワードは、ＩＱデータが格納されるＩＱデータブロックである。
【００５２】
図１０は、サブフレームの詳細を示す図である。サブフレームは、２５６個の基本フレームを含む。
【００５３】
サブフレーム内で、基本フレームのコントロールワードには、インデックスとして、Ｘ＝０，・・・，２５５の値が付与される。２５６個の基本フレームは、６４個のサブチャネルにまとめられる。各サブチャネルの基本フレームのコントロールワードには、インデックスとして、Ｎｓ＝０，・・・，６３の値が付与される。各サブチャネル内で基本フレームのコントロールワードには、インデックスとして、Ｘｓ＝０，１，２，３の値が付与される。
【００５４】
図１１は、コントロールワードのマッピングの例を示す図である。１サブフレーム内のコントロールワードは、２５６個の基本フレームを６４個のサブチャネル（Ｎｓ＝０，・・・，６３）にまとめられることによって、ヘッダとしての意味を有する。サブチャネル毎に制御信号の種別が定められる。制御信号の種別とは、例えばサブチャネルの目的を示す。
【００５５】
マッピング情報は、ＩＱデータブロックのどの通信領域がどのＲＥ向けのデータであるかを示す情報である。ＩＱデータブロックのどの通信領域がどのＲＥ向けのデータであるかは、例えば、ＲＥの識別子、当該ＲＥ向けのデータに割り当てられる通信領域の位置情報（例えば、開始位置及び終了位置）によって、特定され得る。通信領域における位置は、例えば、サブフレーム内のインデックスによって特定され得る。マッピング情報は、コントロールワード内に格納される。マッピング情報は、例えば、コントロールワードの、
予備領域（reserved）、ベンダ指定領域（vender specific）等に、格納され得る。
【００５６】
ＲＥの識別子は、すべてのＲＥを示す識別子、又は、所定の複数のＲＥを示す識別子であってもよい。ＲＥＣ２００は、複数のＲＥを示す識別子を使用することで、送信するデータをまとめることができ、ＩＱデータブロックの通信領域を有効に使用できる。また、複数のＲＥを示す識別子を使用することで、ＲＥＣ２００の処理量が軽減され得る。
【００５７】
（動作例）
〈ＲＥＣの動作（下り）〉
ＲＥＣ２００の第１下りプロトコル処理部２１０ａは、上位装置（ＲＮＣ１００など）からＲＥ３００ａ向けのダウンリンクユーザデータを受信する。第１下りプロトコル処理部２１０ａは、ＲＥ３００ａ向けのダウンリンクユーザデータを、通信規約に基づいて、所定の単位のデータに生成する。第１下りプロトコル処理部２１０ａは、生成したデータを多重部２３２に送信する。他の下りプロトコル処理部も、同様に、生成したデータを多重部２３２に送信する。
【００５８】
多重部２３２は、第１下りプロトコル処理部２１０ａ等から、ＲＥ３００ａ等向けのデータを受信し、送信バッファに格納する。多重部２３２は、受信したデータがどのＲＥ向けのデータであるかの情報を、スケジューラ部２７０に通知する。
【００５９】
ＲＥＣ２００のスケジューラ部２７０は、送信するデータをＩＱデータブロックに割り当てる。また、スケジューラ部２７０は、１サブフレーム毎にマッピング情報を生成する。サブフレームは、６６．６７ｎｓ毎（１０／１５０ｍｓ毎）に生成される。
【００６０】
図１２及び図１３は、下り方向のデータを扱う際のＲＥＣのスケジューラ部の動作フローを示す図である。図１２の「Ａ１」は、図１３の「Ａ１」に接続する。図１２及び図１３の動作フローは、サブフレームが生成されるフレームタイミングが開始されることを契機として、開始される。
【００６１】
スケジューラ部２７０は、マッピング情報を初期化する（Ｓ１０１）。マッピング情報は、ＩＱデータブロックのどの通信領域がどのＲＥ向けであるかを示す情報である。
【００６２】
スケジューラ部２７０は、多重部２３２の送信バッファ内のデータを確認する（Ｓ１０２）。多重部２３２の送信バッファには、第１下りプロトコル処理部２１０ａなどから送信された送信データが一次的に格納される。第１下りプロトコル処理部２１０ａなどから送信される送信データは、ＲＥ３００ａなどに送信されるデータである。ＲＥ３００ａ等は、当該データを受信すると所定の送信電力に増幅して、アンテナ３８０ａ等から送信する。
【００６３】
スケジューラ部２７０は、送信バッファのデータがＩＱデータブロック内の通信領域を割り当てられているか否かを確認する（Ｓ１０３）。送信バッファのデータが既にＩＱデータブロック内の通信領域を割り当てられている場合（Ｓ１０３；ＮＯ）、処理がステップＳ１０７に進む。
【００６４】
送信バッファのデータにＩＱデータブロック内の通信領域を割り当てられていないデータがある場合（Ｓ１０３；ＹＥＳ）、スケジューラ部２７０は、当該データに割り当て可能な、ＩＱデータブロック内の空き通信領域があるか否かを確認する（Ｓ１０４）。スケジューラ部２７０は、マッピング情報に基づいて、ブロック内の空き通信領域があるか否かを確認する。当該データに割り当てるＩＱデータブロック内の空き通信領域がない場合（Ｓ１０４；ＮＯ）、処理がステップＳ１０７に進む。
【００６５】
送信バッファのデータに割り当て可能な、ＩＱデータブロック内の空き通信領域がある場合（Ｓ１０４；ＹＥＳ）、スケジューラ部２７０は、当該空き通信領域を、送信バッファのデータに割り当てる（Ｓ１０５）。スケジューラ部２７０は、マッピング情報に、当該データの送信先のＲＥの識別子、当該データを格納した通信領域の位置情報などを格納する。スケジューラ部２７０は、送信バッファに複数のデータが存在する場合は、それぞれのデータに対して、通信領域の割り当てを行い、マッピング情報に格納する。
【００６６】
スケジューラ部２７０は、サブフレームが生成されるフレームタイミングが終了したか否かを確認する（Ｓ１０５）。フレームタイミングが終了していない場合（Ｓ１０６；ＮＯ）、処理がステップＳ１０２に戻る。
【００６７】
フレームタイミングが終了した場合（Ｓ１０６；ＹＥＳ）、スケジューラ部２７０は、マッピング情報を符号化部２３４に送信する（Ｓ１０７）。また、スケジューラ部２７０は、マッピング情報をコントロールワード生成部２３８に送信する（Ｓ１０８）。ステップＳ１０７とステップＳ１０８との順序は、入れ替わってもよい。
【００６８】
符号化部２３４は、スケジューラ部２７０から受信したマッピング情報に基づいて、多重部２３２から受信したデータを、所定の符号化方式で符号化する。変調部２３６は、符号化部２３４で符号化されたデータを、所定の変調方式で変調し、ＩＱデータブロックを生成する。
【００６９】
コントロールワード生成部２３８は、スケジューラ部２７０から受信したマッピング情報、無線同期用の同期情報、及び、各ＲＥを制御する制御データを含むコントロールワードを生成する。
【００７０】
送信部２４０は、変調部２３６が生成したＩＱデータブロックと、コントロールワード生成部２３８が生成したコントロールワードとを、隣接する下り方向のＲＥ３００ａに送信する。スケジューラ部２７０が生成したマッピング情報は、コントロールワードに含まれて、ＲＥに送信される。
【００７１】
〈ＲＥの動作（下り）〉
図１４は、下り方向のデータを扱う際のＲＥの動作フローを示す図である。ここでは、主として、ＲＥ３００ａの動作フローについて説明するが、他のＲＥについても同様である。
【００７２】
図１４の動作フローは、ＲＥ３００ａが、ＲＥＣ２００（または、隣接する上り方向のＲＥ）からＩＱデータブロック及びコントロールワードを受信することを契機に開始される。
【００７３】
ＲＥ３００ａの上り受信部３１０は、ＲＥＣ２００から、ＩＱデータブロック及びコントロールワードを受信する（Ｓ２０１）。上り受信部３１０は、受信したＩＱデータブロック及びコントロールワードを、下り送信部３２０に送信する。上り受信部３１０は、受信したＩＱデータブロックを分離部３１４に送信する。上り受信部３１０は、受信したコントロールワードをコントロールワード取得部３１２に送信する。
【００７４】
コントロールワード取得部３１２は、コントロールワードからマッピング情報を抽出する（Ｓ２０２）。コントロールワード取得部３１２は、マッピング情報を分離部３１４に送信する。
【００７５】
分離部３１４は、マッピング情報に基づいて、ＩＱデータブロックから、自装置（ＲＥ３００ａ）向けのデータを抽出する（Ｓ２０３）。分離部３１４は、抽出したＩＱデータブロックを増幅部３３０に送信する。増幅部３３０は、分離部３１４が抽出したＩＱデータブロックに従って、信号を所定の送信電力に増幅し、アンテナ３８０ａから送信する（Ｓ２０４）。
【００７６】
また、下り送信部３２０は、上り受信部３１０から受信したＩＱデータブロック及びコントロールワードを、隣接する下り方向のＲＥに送信する（Ｓ２０５）。
【００７７】
ステップＳ２０２乃至ステップＳ２０４とステップＳ２０５との順序は、入れ替わってもよい。
【００７８】
図１４の動作フローにより、ＲＥ３００ａは、マッピング情報に基づいて、ＩＱデータブロックからＲＥ３００ａ向けのデータを抽出し、アンテナ３８０ａから送信する。また、ＲＥ３００ａは、受信したＩＱデータブロック及びコントロールワードを下り方向に接続されているＲＥに送信する。ＲＥＣ２００が生成したＩＱデータブロック及びコントロールワードが、そのまま、ＲＥ３００ａで中継され、隣接する下り方向のＲＥに送信される。
【００７９】
〈下り方向のデータの流れの例（１）〉
図１５は、下り方向のデータの流れの例（１）を示す図である。
【００８０】
ＲＥＣ３００は、ＲＥ３００ａ向けデータ、ＲＥ３００ｂ向けデータ、及び、ＲＥ３００ｃ向けデータを、１つの通信チャネル（ＩＱデータブロック）に多重する。図１５において、ＩＱデータブロックの「ａ」、「ｂ」及び「ｃ」は、それぞれ、ＲＥ３００ａ向けデータ、ＲＥ３００ｂ向けデータ及びＲＥ３００ｃ向けデータを示す。ＩＱデータブロックの空欄は、データがないことを示す。
【００８１】
また、ＲＥＣ３００は、マッピング情報を生成する。マッピング情報は、ＩＱデータブロック内でどの領域がどのＲＥ向けのデータであるかを示す情報である。図１５において、マッピング情報の「ａ」、「ｂ」、「ｃ」及び「０」は、それぞれ、ＲＥ３００ａ向けデータ、ＲＥ３００ｂ向けデータ、ＲＥ３００ｃ向けデータ及びデータなしを示す。
【００８２】
ＲＥＣ２００は、ＩＱデータブロック及びマッピング情報を含むコントロールワードを送信する。
【００８３】
ＲＥ３００ａは、ＲＥＣ２００からＩＱデータブロック及びマッピング情報を含むコントロールワードを受信する。ＲＥ３００ａは、マッピング情報に基づいて、ＲＥ３００ａ向けのデータ（図１５のマッピング情報で「ａ」と示されるデータ）を抽出し、アンテナ３８０ａから送信する。ＲＥ３００ａは、ＲＥＣ３００から受信したＩＱデータブロック及びマッピング情報を含むコントロールワードをＲＥ３００ｂに送信する。図１５において、送信データの「ａ」は、アンテナ３８０ａで送信するデータを示す。
【００８４】
ＲＥ３００ｂ及びＲＥ３００ｃは、ＲＥ３００ａと同様に、ＲＥＣ２００からＩＱデータブロック及びマッピング情報を含むコントロールワードを処理する。
【００８５】
各ＲＥからアンテナを介して送信されるデータは、ＲＥＣ２００で配置された通信領域と同じ通信領域で、送信される。
【００８６】
〈下り方向のデータの流れの例（２）〉
図１６は、下り方向のデータの流れの例（２）を示す図である。
【００８７】
ＲＥＣ３００は、ＲＥ３００ａ向けデータ、ＲＥ３００ｂ向けデータ、ＲＥ３００ｃ向けデータ、及び、すべてのＲＥ向けデータを、１つの通信チャネルに多重する。通信チャネルとは例えばＩＱブロックである。図１６において、ＩＱデータブロックの「ａ」、「ｂ」、「ｃ」及び「Ａ」は、それぞれ、ＲＥ３００ａ向けデータ、ＲＥ３００ｂ向けデータ、ＲＥ３００ｃ向けデータ、及び、すべてのＲＥ向けデータを示す。ＩＱデータブロックの空欄は、データがないことを示す。
【００８８】
また、ＲＥＣ３００は、マッピング情報を生成する。マッピング情報は、ＩＱデータブロック内でどの領域がどのＲＥ向けのデータであるかを示す情報である。図１６において、マッピング情報の「ａ」、「ｂ」、「ｃ」、「Ａ」及び「０」は、それぞれ、ＲＥ３００ａ向けデータ、ＲＥ３００ｂ向けデータ、ＲＥ３００ｃ向けデータ、すべてのＲＥ向けデータ及びデータなしを示す。
【００８９】
ＲＥ３００ａは、ＲＥＣ２００からＩＱデータブロック及びマッピング情報を含むコントロールワードを受信する。ＲＥ３００ａは、マッピング情報に基づいて、ＲＥ３００ａ向けのデータ（図１６のマッピング情報で「ａ」と示されるデータ）及びすべてのＲＥ向けデータを抽出し、アンテナ３８０ａから送信する。ＲＥ３００ａは、ＲＥＣ３００から受信したＩＱデータブロック及びマッピング情報を含むコントロールワードをＲＥ３００ｂに送信する。図１６において、送信データの「ａ」及び「Ａ」は、アンテナ３８０ａで送信するデータを示す。
【００９０】
ＲＥ３００ｂ及びＲＥ３００ｃは、ＲＥ３００ａと同様に、ＲＥＣ２００からＩＱデータブロック及びマッピング情報を含むコントロールワードを処理する。
【００９１】
各ＲＥは、マッピング情報に基づいて、自装置向けデータとすべてのＲＥ向けデータとを、ＩＱデータブロックから抽出し、アンテナから送信することができる。
【００９２】
〈ＲＥの動作（上り）〉
図１７及び図１８は、上り方向のデータを扱う際のＲＥの動作フローを示す図である。図１７の「Ｂ１」、「Ｂ２」及び「Ｂ３」は、それぞれ、図１８の「Ｂ１」、「Ｂ２」及び「Ｂ３」に接続する。ここでは、主として、ＲＥ３００ａの動作フローについて説明するが、他のＲＥについても同様である。
【００９３】
図１７及び図１８の動作フローは、６６．６７ｎｓ毎（１０／１５０ｍｓ毎）のサブフレームのフレームタイミングが開始されることを契機として、開始される。
【００９４】
ＲＥ３００ａの下り受信部３４０は、隣接する下り方向に接続されているＲＥ（ＲＥ３００ｂ）から、ＩＱデータブロック及びコントロールワードを受信する（Ｓ３０１）。下り受信部３４０は、受信したＩＱデータブロックを多重部３４４に送信する。下り受信部３４０は、受信したコントロールワードをコントロールワード更新部３４２に送信する。コントロールワード更新部３４２は、受信したコントロールワードからマッピング情報を抽出する。
【００９５】
アンテナ３８０ａで受信された信号は、増幅部３３０で増幅され、アンテナ３８０ａが受信したＩＱデータブロックとして、多重部３４４及びコントロールワード更新部３４２に送信される。
【００９６】
コントロールワード更新部３４２は、変数Ｎに１を代入する（Ｓ３０２）。コントロー
ルワード更新部３４２は、アンテナ３８０ａが受信したＩＱデータブロックのＮ番目の通信領域を確認する（Ｓ３０３）。アンテナ３８０ａが受信したＩＱデータブロックのＮ番目の通信領域にデータが存在しない場合（Ｓ３０４；ＮＯ）、処理はステップＳ３１１に進む。
【００９７】
アンテナ３８０ａが受信したＩＱデータブロックのＮ番目の通信領域にデータが存在する場合（Ｓ３０４；ＹＥＳ）、コントロールワード更新部３４２は、マッピング情報で、下り方向に接続されているＲＥから受信したＩＱデータブロックのＮ番目の通信領域を確認する（Ｓ３０５）。アンテナ３８０ａが受信したＩＱデータブロックの通信領域と下り方向に接続されているＲＥから受信したＩＱデータブロックの通信領域とは、同じ大きさであり、それぞれの通信領域は、１：１に対応付けられる。
【００９８】
下り方向に接続されているＲＥから受信したＩＱデータブロックのＮ番目の通信領域が空き通信領域である場合（Ｓ３０６；ＹＥＳ）、コントロールワード更新部３４２は、当該通信領域を自装置（ＲＥ３００ａ）に割り当てる。コントロールワード更新部３４２は、マッピング情報に、ＲＥ３００ａの識別子、割り当てた通信領域（Ｎ番目の通信領域）の位置情報などを対応付けて格納する。コントロールワード更新部３４２は、多重部３４４に対し、Ｎ番目の通信領域に当該データを格納することを指示する。多重部３４４は、下り受信部３４０から受信したＩＱデータブロックのＮ番目の通信領域に、アンテナ３８０ａが受信したＩＱデータブロックのＮ番目の通信領域のデータを格納する（Ｓ３０７）。
【００９９】
下り方向に接続されているＲＥから受信したＩＱデータブロックのＮ番目の通信領域が空き通信領域でない場合（Ｓ３０６；ＮＯ）、コントロールワード更新部３４２は、マッピング情報で、下り方向に接続されているＲＥから受信したＩＱデータブロックの空き通信領域を確認する（Ｓ３０８）。既に自装置（ＲＥ３００ａ）に割り当てた領域は、ここでは、空き通信領域とされない。
【０１００】
下り方向に接続されているＲＥから受信したＩＱデータブロックの空き通信領域が存在する場合（Ｓ３０９；ＹＥＳ）、コントロールワード更新部３４２は、当該空き通信領域を自装置（ＲＥ３００ａ）に割り当てる。コントロールワード更新部３４２は、マッピング情報に、ＲＥ３００ａの識別子、割り当てた当該空き通信領域の位置情報などを対応付けて格納する。コントロールワード更新部３４２は、多重部３４４に対し、当該空き通信領域に当該データを格納することを指示する。多重部３４４は、下り受信部３４０から受信したＩＱデータブロックの当該空き通信領域に、アンテナ３８０ａが受信したＩＱデータブロックのＮ番目の通信領域のデータを格納する（Ｓ３１０）。
【０１０１】
下り方向に接続されているＲＥから受信したＩＱデータブロックの空き通信領域が存在しない場合（Ｓ３０９；ＮＯ）、処理がステップＳ３１１に進む。ＩＱデータブロックの通信領域に格納できなかったアンテナ３８０ａが受信したＩＱデータブロックのデータは、次のフレームタイミングで下り方向に接続されているＲＥから受信したＩＱデータブロックの空き通信領域に格納され得る。また、下り方向に接続されているＲＥから受信したＩＱデータブロックの空き通信領域が存在しない場合（Ｓ３０９；ＮＯ）、ＲＥ３００ａは、このフレームタイミングで自装置に通信領域を割り当てられない。このため、処理がステップＳ３１１に進む代わりに、処理がステップＳ３１１を飛ばして先に進んでもよい。
【０１０２】
アンテナ３８０ａが受信したＩＱデータブロックのすべての通信領域のデータの存否を確認していない場合（Ｓ３１１；ＮＯ）、コントロールワード更新部３４２は、変数ＮにＮ＋１を代入し（Ｓ３１２）、処理がステップＳ３０３に戻る。
【０１０３】
アンテナ３８０ａが受信したＩＱデータブロックのすべての通信領域のデータの存否を確認した場合（Ｓ３１１；ＹＥＳ）、コントロールワード更新部３４２は、更新したマッピング情報を含むコントロールワードを生成し、上り送信部３５０に送信する。多重部３４４は、コントロールワード更新部３４２の指示に従って生成されたＩＱデータブロックを上り送信部３５０に送信する。
【０１０４】
上り送信部３５０は、多重部３４４から受信したＩＱデータブロック及びコントロールワード更新部３４２から受信したコントロールワードを、ＲＥＣ２００（または、隣接する上り方向のＲＥ）に送信する。
【０１０５】
ＲＥ３００ａは、下り方向からのＲＥから受信したＩＱデータブロックに、アンテナ３８０ａが受信したＩＱデータブロックのデータを追加し、マッピング情報を含むコントロールワードを更新して、ＲＥ２００に送信する。
【０１０６】
終端のＲＥ（例えば、ＲＥ３００ｃ）は、下り方向に接続されているＲＥが存在しないため、自装置の識別子と、アンテナで受信したデータの通信領域の位置情報とを含むマッピング情報を含むコントロールワードを生成する。当該ＲＥは、生成したコントロールワードと、アンテナが受信したデータとを、上り方向に接続されているＲＥに送信する。
【０１０７】
〈ＲＥＣの動作（上り）〉
ＲＥＣ２００の受信部２６０は、ＲＥ３００ａからＩＱデータブロック及びコントロールワードを受信する。受信部２６０は、受信したＩＱデータブロックを復調部２５６に送信する。復調部２５６は、受信したＩＱデータブロックを送信側の変調方式に対応する復調方式で復調する。また、受信部２６０は、受信したコントロールワードをコントロールワード分離部２５８に送信する。コントロールワード分離部２５８は、受信したコントロールワードから、マッピング情報を抽出し、スケジューラ部２７０に送信する。
【０１０８】
図１９は、上り方向のデータを扱う際のＲＥＣのスケジューラ部の動作フローを示す図である。図１９の動作フローは、スケジューラ部２７０がマッピング情報を受信することを契機として開始される。
【０１０９】
スケジューラ部２７０は、マッピング情報をコントロールワード分離部２５８から受信する（Ｓ４０１）。スケジューラ部２７０は、変数Ｎに１を代入する（Ｓ４０２）。
【０１１０】
スケジューラ部２７０は、マッピング情報により、受信したＩＱデータブロックのＮ番目の通信領域のデータがどのＲＥ向けか（どのＲＥで受信されたか）を、確認する（Ｓ４０３）。スケジューラ部２７０は、復号化部２５４に対して、ＩＱデータブロックのＮ番目の通信領域のデータを、該当ＲＥ向け（該当ＲＥから受信されたもの）として分離することを指示する（Ｓ４０４）。復号化部２５４は、復調部２５６で復調されたデータを送信側の符号化方式に対応する復号化方式で復号化し、復号化されたデータをスケジューラ部２７０からの指示に基づき、送信元のＲＥ毎に分離する。分離（DEMUX）部２５２は、
復号化部２５４で復号化されたデータを、データを受信したＲＥ（送信元のＲＥ）に応じて、第１上りプロトコル処理部２２０ａ等に送信する。
【０１１１】
ＩＱデータブロックのすべての通信領域のデータについて、送信元のＲＥを確認していない場合（Ｓ４０５；ＮＯ）、スケジューラ部２７０は変数ＮにＮ＋１を代入し（Ｓ４０６）、処理がステップＳ４０３に戻る。ＩＱデータブロックのすべての通信領域のデータについて、送信元のＲＥを確認した場合（Ｓ４０５；ＹＥＳ）、スケジューラ部２７０の処理は終了する。
【０１１２】
〈上り方向のデータの流れの例〉
図２０は、上り方向のデータの流れの例を示す図である。図２０において、ＩＱデータブロックの「ａ」、「ｂ」及び「ｃ」は、それぞれ、ＲＥ３００ａ向けデータ、ＲＥ３００ｂ向けデータ及びＲＥ３００ｃ向けデータを示す。ＩＱデータブロックの空欄は、データがないことを示す。また、マッピング情報の「ａ」、「ｂ」、「ｃ」及び「０」は、それぞれ、ＲＥ３００ａ向けデータ、ＲＥ３００ｂ向けデータ、ＲＥ３００ｃ向けデータ及びデータなしを示す。
【０１１３】
ＲＥ３００ａは、下り方向の隣接するＲＥであるＲＥ３００ｂから、ＩＱデータブロック及びマッピング情報を含むコントロールワードを受信する。ＩＱデータブロックには、下り方向に接続されているＲＥであるＲＥ３００ｂ及びＲＥ３００ｃで受信されたデータが多重されている。また、マッピング情報には、ＩＱデータブロック内でどの領域がどのＲＥ向けのデータであるかを示す情報が含まれる。
【０１１４】
ＲＥ３００ａは、アンテナ３８０ａを介して、端末等からデータを受信する。図２０において、受信データの「ａ」は、アンテナ３８０ａで受信したデータを示す。また、受信データの空欄は、データがないことを示す。
【０１１５】
ＲＥ３００ａは、端末等から受信したデータとＲＥ３００ｂから受信したＩＱデータブロックとを多重する。端末等から受信したデータが使用する通信領域がＲＥ３００ｂから受信したＩＱデータブロックで使用されていない場合は、ＲＥ３００ａは、当該通信領域に、端末等から受信したデータを割り当てる。
【０１１６】
端末等からＲＥ３００ａへの通信で使用される通信領域は、端末等とＲＥ３００ａとの間で決定される。よって、端末等からＲＥ３００ａへの通信で使用される通信領域（端末等から受信したデータが使用する通信領域）は、ＲＥ３００ｂから受信したＩＱデータブロックで既に使用されていることがある。端末等から受信したデータが使用する通信領域がＲＥ３００ｂから受信したＩＱデータブロックで既に使用されている場合は、ＲＥ３００ａは、ＲＥ３００ｂから受信したＩＱデータブロックの空き通信領域に、端末等から受信したデータを割り当てる。図２０の例では、ＲＥ３００ａは、ＲＥ３００ｂから受信したＩＱデータブロックの空き通信領域に、アンテナ３８０ａで受信したデータを割り当てる。ＲＥ３００ａは、端末等から受信したデータに割り当てた通信領域の情報を追加したマッピング情報を生成する。ＲＥ３００ａは、割り当てたＩＱデータブロックの通信領域に、端末等から受信したデータを配置する。ＲＥ３００ａは、更新したＩＱデータブロック及びマッピング情報を含むコントロールワードを、ＲＥＣ２００に送信する。
【０１１７】
ＲＥＣ２００は、ＲＥ３００ａから、ＩＱデータブロック及びマッピング情報を含むコントロールワードを受信する。ＲＥＣ２００は、マッピング情報に基づいて、ＩＱデータブロックのデータを、送信元のＲＥ毎のデータに分離する。
【０１１８】
（実施形態の作用効果）
ＲＥＣ２００は、ＩＱデータブロック内でどの領域がどのＲＥ向けのデータであるかを示すマッピング情報を生成する。ＲＥＣ２００は、複数のＲＥ向けのデータを１つのＩＱデータブロックに多重させる。即ち、ＲＥＣ２００は、１つの通信チャネルで複数のＲＥ向けのデータを送信する。
【０１１９】
ＲＥはＲＥＣ２００からのＩＱデータブロック及びマッピング情報を含むコントロールワードを受信する。ＲＥは、ＩＱデータブロックから、自装置向けのデータを、マッピング情報を使用することにより抽出する。
【０１２０】
ＲＥは、下り方向に接続されているＲＥからマッピング情報を受信し、自装置で受信したデータをＩＱデータブロックの空き領域に割り当てる。ＲＥは、受信したデータを、下り方向に接続されているＲＥから受信したＩＱデータブロックの空き領域に配置する。ＲＥＣ２００は、ＲＥからＩＱデータブロック及びマッピング情報を受信して、マッピング情報に基づいて、ＩＱデータブロックのデータを送信元のＲＥ毎のデータに分離する。
【０１２１】
本実施形態のシステムによれば、複数のＲＥ向けの無線データを多重することで、通信帯域を効率的に利用することができる。
【符号の説明】
【０１２２】
２１        ＲＥＣ
２２        ＲＥＣ
３１        ＲＥ
３２        ＲＥ
３３        ＲＥ
３４        ＲＥ
３５        ＲＥ
３６        ＲＥ
１００        ＲＮＣ
２００        ＲＥＣ
２１０ａ        第１下りプロトコル処理部
２１０ｂ        第２下りプロトコル処理部
２１０ｃ        第３下りプロトコル処理部
２２０ａ        第１上りプロトコル処理部
２２０ｂ        第２上りプロトコル処理部
２２０ｃ        第３上りプロトコル処理部
２３２          多重部
２３４          符号化部
２３６          変調部
２３８          コントロールワード生成部
２４０          送信部
２５２          分離部
２５４          復号化部
２５６          復調部
２５８          コントロールワード分離部
２６０          分離部
３００ａ      ＲＥ
３００ｂ      ＲＥ
３００ｃ      ＲＥ
３１０          上り受信部
３１２          コントロールワード取得部
３１４          分離部
３２０          下り送信部
３３０          増幅部
３４０          下り受信部
３４２          コントロールワード更新部
３５０          上り送信部
３８０ａ      アンテナ
３８０ｂ      アンテナ
３８０ｃ      アンテナ
【図１】
2011114689.tif 000003
【図２】
2011114689.tif 000004
【図３】
2011114689.tif 000005
【図４】
2011114689.tif 000006
【図５】
2011114689.tif 000007
【図６】
2011114689.tif 000008
【図７】
2011114689.tif 000009
【図８】
2011114689.tif 000010
【図９】
2011114689.tif 000011
【図１０】
2011114689.tif 000012
【図１１】
2011114689.tif 000013
【図１２】
2011114689.tif 000014
【図１３】
2011114689.tif 000015
【図１４】
2011114689.tif 000016
【図１５】
2011114689.tif 000017
【図１６】
2011114689.tif 000018
【図１７】
2011114689.tif 000019
【図１８】
2011114689.tif 000020
【図１９】
2011114689.tif 000021
【図２０】
2011114689.tif 000022